(57)【要約】      （修正有）【課題】簡便に取付けできて電力消費量を認識し易く表示することができる電力消費量表示装置を提供する。【解決手段】対象機器の給電路に挿入されて前記対象機器が消費する電力量を表示する電力消費量表示装置において、前記対象機器専用の給電路を形成する給電手段と、前記給電手段を経て前記対象機器が消費した電力量を示す信号を形成する検出手段と、前記検出手段により得られた電力量信号に基づき前記対象機器が消費した電力量に相当する値を表示する表示手段２,３と、壁面に埋め込まれる形状であって、前記給電手段、前記検出手段および前記表示手段を収容し、前記対象機器の設置箇所近傍に設置される機器筐体とをそなえたことを特徴とする電力消費量表示装置。【選択図】図１
0003142812.tif 000002
【実用新案登録請求の範囲】
【請求項１】
対象機器の給電路に挿入されて前記対象機器が消費する電力量を表示する電力消費量表示装置において、
前記対象機器専用の給電路を形成する給電手段と、
前記給電手段を経て前記対象機器が消費した電力量を示す信号を形成する検出手段と、
前記検出手段により得られた電力量信号に基づき前記対象機器が消費した電力量に相当する値を表示する表示手段と、
壁面に埋め込まれる形状であって、前記給電手段、前記検出手段および前記表示手段を収容し、前記対象機器の設置箇所近傍に設置される機器筐体と
をそなえたことを特徴とする電力消費量表示装置。
【請求項２】
請求項１記載の電力消費量表示装置において、
前記筐体表面に、前記対象機器を接続するためのコンセントを有することを特徴とする電力消費量表示装置。
【請求項３】
請求項１記載の電力消費量表示装置において、
前記筐体表面に、前記対象機器への給電およびその停止を行うためのスイッチを有することを特徴とする電力消費量表示装置。
【請求項４】
請求項１記載の電力消費量表示装置において、
前記表示手段は、前記対象機器が消費した電力量に相当する金額を表示するようにしたことを特徴とする電力消費量表示装置。
【請求項５】
請求項１記載の電力消費量表示装置において、
前記表示手段は、前記対象機器が消費した電力量に相当するＣＯ2換算量を表示するようにしたことを特徴とする電力消費量表示装置。
【請求項６】
請求項１記載の電力消費量表示装置において、
前記表示手段は、表示内容を変更するための切替手段を有することを特徴とする電力消費量表示装置。
【考案の詳細な説明】
【技術分野】
【０００１】
本考案は、電気機器の電力消費量またはそれに相当する値を表示する電力消費量表示装置に係わり、とくに特定の電気機器における電力消費量に対応した値を表示する装置に関する。
【背景技術】
【０００２】
地球温暖化対策として、エネルギー消費をできるだけ低減する試みがなされている。このため、電気機器の電力消費量を把握すべく小型かつ簡便な電力量計が提供され、個々の機器が消費する電力量、つまりワットアワー（ＷＨ）を表示するものが種々提供されている（特許文献１等）。
【０００３】
また、この種の電力量計は、電流をクランプ式変流器で取り込み、電圧は壁面に設けられているコンセントに差し込んで入力するものが多く、壁面から突出する形状を持っている。
【特許文献１】特開２００１−２１５２４６号公報
【考案の開示】
【考案が解決しようとする課題】
【０００４】
しかしながら、電力量値（ＷＨ）をそのまま表示しても、単なる数値表示であってエネルギー消費量表示の実感を伴わない傾向があり、電力消費量の低減に結び付く特別な意識を呼び起こすには中々至らない。
【０００５】
また、従来の電力量計は、壁面から突出させて設置する形態であるため、室内に機器を設置すると設置場所周辺の空間を占有し、設置を妨げている面もある。
【０００６】
本考案は上述の点を考慮してなされたもので、簡便に取付けできて壁面からの突出によるスペース占有の問題もなく、電力消費量を認識し易く表示することができる電力消費量表示装置を提供することを目的とする。
【課題を解決するための手段】
【０００７】
上記目的達成のため、本考案では、  
対象機器の給電路に挿入されて前記対象機器が消費する電力量を表示する電力消費量表示装置において、
前記対象機器専用の給電路を形成する給電手段と、
前記給電手段を経て前記対象機器が消費した電力量を示す信号を形成する検出手段と、
前記検出手段により得られた電力量信号に基づき前記対象機器が消費した電力量に相当する値を表示する表示手段と、
壁面に埋め込まれる形状であって、前記給電手段、前記検出手段および前記表示手段を収容し、前記対象機器の設置箇所近傍に設置される機器筐体と
をそなえたことを特徴とする電力消費量表示装置、
を提供するものである。
【考案の効果】
【０００８】
本考案は上述のように、筐体内に諸要素が組み込まれ、対象機器の電力消費量に対応した適当な値を表示することができるため、対象機器の利用者が電力消費量を意識し易い形で表示することができる。しかも、壁面に埋め込んだ形で設置できるからスペース的問題も生じ難い。
【考案を実施するための最良の形態】
【０００９】
以下、添付図面を参照して本考案の実施例を説明する。
【実施例１】
【００１０】
図１ないし図３は、本考案の一実施例を示す正面図、側面図および底面図である。図１に示すように、フラッシュプレート１を正面から見ると、対象機器を接続するコンセントに表示手段を付加したもので、通常の壁面に設置するフラッシュプレートと同様に、殆ど壁面からの突出を感じさせない程度の突出高さである。
【００１１】
この場合、フラッシュプレート１の中央やや上部には、表示窓２が配され、この表示窓２の直ぐ下側には表示切替スイッチ３が配され、さらにその下側にコンセント４、つまりプラグ差込口が設けられている。このコンセント４に、電力消費量を計測する対象電気機器の電源プラグが差し込まれる。
【００１２】
そして図１(a)および図１(b)に示すように、フラッシュプレート１の背面には、電力量計５および取付枠６が設けられており、これらはフラッシュプレート１の背後にある埋込みボックス（図示せず）に収容される。フラッシュプレート１、取付枠６および埋め込みボックスにより機器筐体を構成する。
【００１３】
この実施例１では、対象機器として、単独の機器とか、所定の部屋に設置された機器群、等の特定の電気機器を想定し、この特定の電気機器の電力消費量を計測し表示するものとする。そして、表示手段として、表示窓２と切替スイッチ３とにより構成されるものを用いている。
【００１４】
この結果、切替スイッチ３の切替操作により、電力量値（Ｘ[Ｗｈ]）、例えば消費した電力量に相当する課金金額（Ｙ[円]）とか、消費した電力量に対応するＣＯ２換算量（Ｚ[ｋｇ]）等の表示を行う。表示の選択は、対象機器の使用者が切替スイッチ３を操作することにより行う。
【実施例２】
【００１５】
上記実施例では、フラッシュプレート１にコンセント４が設けられていて、このコンセント４に対象機器を接続することとしたが、コンセント４の替りにスイッチ（図示せず）を設けてもよい。対象機器が、天井灯とか換気ファンのように、給電路が恒久的な配線により構成されている場合等である。
【００１６】
このような場合は、対象機器への電力供給が埋込み配線された給電路を介して行われるため、コンセントを利用することはない。そこで、図１におけるコンセント４を電源オン・オフを行うスイッチに置き換える。
【００１７】
図４は、図１(a)ないし(c)に示した実施例の電気的結線例を示している。商用電源ＡＣとコンセント４との間に、フラッシュプレート１に取り付けられ、切替スイッチ３が接続された表示窓２が設けられている。このコンセント４は、図示しない負荷に接続されたスイッチに替えてもよい。
【図面の簡単な説明】
【００１８】
【図１】図１(a)ないし(c)は、本考案の一実施例を示す正面図。
【図２】同じく電気的結線図。
【符号の説明】
【００１９】
１  フラッシュプレート、２  表示窓、３  表示切替スイッチ、４  コンセント。
【図１】
0003142812.tif 000003
【図２】
0003142812.tif 000004